(57)【要約】【課題】狭い練習場でも使い易くて価格を下げられるゴルフ練習用ネットケージを提供する。【解決手段】ケージ前面２が開放されていると共に左右２つのケージ横面３，４およびケージ天井面５とケージ奥面６にネットＮＥが張設されたネットケージ本体１を備え、ケージ前面近傍における一方のケージ横面に近い位置に立った練習者Ｐにより、ケージ前面近傍における他方のケージ横面に近い位置にティーアップされたゴルフボールＧＢがケージ奥面６へ向けて打ち込まれる構成とする。ネットケージ本体１を、一方のケージ横面側のケージ前面寄り端部１Ａのケージ高さが他所より高くなっているゴルフ練習用ネットケージ。【選択図】        図１
2004187833.tif 000002
【特許請求の範囲】
【請求項１】
ケージ前面が開放されていると共に左右２つのケージ横面およびケージ天井面とケージ奥面にネットが張設されたネットケージ本体を備え、ケージ前面近傍における一方のケージ横面に近い位置に立った練習者により、ケージ前面近傍における他方のケージ横面に近い位置にティーアップされたゴルフボールがケージ奥面へ向けて打ち込まれる構成としたゴルフ練習用ネットケージにおいて、
前記ネットケージ本体を、前記一方のケージ横面側のケージ前面寄り端部のケージ高さが他所より高くなる構成としたことを特徴とするゴルフ練習用ネットケージ。
【請求項２】
前記一方のケージ横面側のケージ前面寄り端部のケージ高さが調節可能になっている請求項１記載のゴルフ練習用ネットケージ。
【請求項３】
練習者が上に立つ打席用マットと、ゴルフボールがティーアップされるティーアップ用マットとを備え、両マットがケージ前面近傍に位置ずれしないように留め置かれると共に、両マット間の距離が調節可能になっている請求項１又は２記載のゴルフ練習用ネットケージ。
【請求項４】
ゴルフボールを、少なくとも相当長さ部分が弾性ストリングからなる吊設用ストリングによりケージ天井面に繋ぎ止め、吊設用ストリングを接続したままでゴルフボールをティーアップする構成とした請求項１〜３のいずれかに記載のゴルフ練習用ネットケージ。
【請求項５】
ティーアップ用マットの上または近傍に立設されるティーアップ用スタンドを備えると共に、前記吊設用ストリングをゴルフボール寄りの位置でティーアップ用スタンドにワンタッチで係留すると共に、前記吊設用ストリングの係留がゴルフボールを打撃した時の衝撃で解除されるストリング係留機構が前記吊設用ストリングとティーアップ用スタンドの間に配備されているのに加え、前記吊設用ストリングの捩れ戻し機構が吊設用ストリングにおけるストリング係留機構とゴルフボールの間に配備されている請求項４記載のゴルフ練習用ネットケージ。
【発明の詳細な説明】
【０００１】
【発明の属する技術分野】
本発明はゴルフ練習用ネットケージに関し、詳しくは、ケージ前面が開放されていると共に左右２つのケージ横面およびケージ天井面とケージ奥面にネットが張設されたネットケージ本体を備えたゴルフ練習用ネットケージに関する。
【０００２】
【従来の技術】
この種のゴルフ練習用ネットケージは、図９に示すように、ケージ前面５２が開放されていると共に左右２つのケージ横面５３、５４およびケージ天井面５５とケージ奥面５６にネットｎｅが張設されたネットケージ本体５１を備えている（例えば、特許文献１）。ネットケージ本体５１は庭や屋上などの屋外あるいはガレージなどの屋内といった練習場に据えつけられ、ゴルフの打撃練習時は、練習者Ｐがケージ前面５２近傍における一方のケージ横面５３に近い位置に立ち、ウッドクラブやアイアンクラブ等のゴルフクラブＣＬでケージ前面５２近傍における他方のケージ横面５４に近い位置にティーアップしたゴルフボールＧＢをケージ奥面５６へ向けて打ち込む。このようなゴルフ練習用ネットケージを使えば、ゴルフの打撃練習が手軽に行える。
【０００３】
【特許文献１】
実開平７−３７２４９号公報
【発明が解決しようとする課題】
しかしながら、上記従来のゴルフ練習用ネットケージの場合、練習場が狭いと使い難いうえに、価格がまだまだ高いという問題があって、広く普及する迄には至らない現況にある。
【０００４】
ネットケージ本体５１は奥行き、幅共にかなりの大きさがあるため、狭い練習場ではネットケージ本体５１を据えつけるだけのスペースを確保するのは容易でない。また、ネットｎｅの張設面積はネットケージ本体５１の大きさに比例して、かなりの大きさがあるネットケージ本体５１には多量のネットが必要となり、どうしても価格が高めになってしまう。
【０００５】
そこで、本発明は上記従来技術の有する問題点に鑑みてなされたもので、その課題は、狭い練習場でも使い易く、それでいて価格を下げることが可能なゴルフ練習用ネットケージを提供することにある。
【０００６】
【課題を解決するための手段】
上記目的は各請求項記載の発明により達成される。すなわち、本発明に係るゴルフ練習用ネットケージの特徴構成は、ケージ前面が開放されていると共に左右２つのケージ横面およびケージ天井面とケージ奥面にネットが張設されたネットケージ本体を備え、ケージ前面近傍における一方のケージ横面に近い位置に立った練習者により、ケージ前面近傍における他方のケージ横面に近い位置にティーアップされたゴルフボールがケージ奥面へ向けて打ち込まれる構成としたゴルフ練習用ネットケージにおいて、
前記ネットケージ本体を、前記一方のケージ横面側のケージ前面寄り端部のケージ高さが他所より高くなる構成としたことにある。
【０００７】
このゴルフ練習用ネットケージの場合、ネットケージ本体が練習場に据えつけられ、ゴルフの打撃練習時は、ケージ前面近傍における一方のケージ横面に近い位置に練習者が立ち、ケージ前面近傍における他方のケージ横面に近い位置にティーアップしたゴルフボールをゴルフクラブでケージ奥面へ向けて打ち込むようにする。
【０００８】
すなわち、本発明者は、上記の課題解決に向けて様々な可能性を検討する過程で、ゴルフボールは、ネットケージ本体の内側全体を広く飛び回るわけではなく、ネットケージ本体の中の高い所を飛ぶことは意外に少ないという知見が得られた。だからと言ってネットケージ本体の高さを低くしたのでは、ネットケージ本体は小さくなっても、練習者の目線が遮られてネットケージ本体の内側を良く見通せなくなり、ゴルフボールを正確に打ち込めなくなってしまう。
【０００９】
そこで、本発明者は、さらに検討を続けた結果、次のような知見を得ることができた。つまり、ネットケージ本体は練習者が立つ側となる一方のケージ横面側のケージ前面寄り端部のケージ高さが他所よりも高くなるようにすれば、それ以外の所は低くても、練習者の目線は遮られず、練習者がネットケージ本体の内側全体を奥まで十分に見通すことができて、ゴルフボールを的を外すことなく正確に打ち込める、という知見を得ることができた。こうして得られた上記２つの知見に基づいて、本発明は完成するに至った。
【００１０】
したがって、本発明のゴルフ練習用ネットケージによれば、ネットケージ本体を練習者が立つ側となる一方のケージ横面側のケージ前面寄り端部のケージ高さが他所より高くなる構成としたので、右利き、左利きに関わらず、ネットケージ本体の内側の見通しを実質的に損なわずに、それ以外の所を低くしてネットケージ本体を小さくできる結果、ネットケージ本体の据えつけスペースの確保が容易となることから、練習場が狭くても使い易く、加えて、ネットの張設面積を低減可能になることから、それだけ価格を下げることができる。
【００１１】
本発明の好ましい実施形態として、前記一方のケージ横面側のケージ前面寄り端部のケージ高さが調節可能になっている形態が挙げられる。
【００１２】
この実施形態によれば、一方のケージ横面側のケージ前面寄り端部のケージ高さを、直ぐ手前に立つことになる練習者の背丈などに合わせて、ネットケージ本体の内側の見通しを確保できるギリギリの高さに調整することにより、ネットケージ本体を必要以上高くせずに済むので、ネットケージ本体を極限まで小さくすることが可能となる。
【００１３】
本発明の他の好ましい実施形態として、練習者が上に立つ打席用マットと、ゴルフボールがティーアップされるティーアップ用マットとを備え、両マットがケージ前面近傍に位置ずれしないように留め置かれると共に、両マット間の距離が調節可能になっていることが挙げられる。
【００１４】
この実施形態によれば、打席用マットとティーアップ用マットが位置ずれしないので、両マットは常に適切な位置にある。なお、本発明でティーアップと言う場合、いわゆるティーペグ上にゴルフボールを置く場合だけに限らず、ティーペグを使わずゴルフボールを（例えばティーアップ用マットの表面に）直置きする場合も含まれる。さらに、打席用マットとティーアップ用マットの距離が調整可能であるので、容易に両マット間の距離を、練習者の体格やゴルフクラブの種類あるいはショットの種類などに見合った適切な距離とすることができる。
【００１５】
本発明の他の好ましい実施形態として、ゴルフボールを、少なくとも相当長さ部分が弾性ストリングからなる吊設用ストリングによりケージ天井面に繋ぎ止め、吊設用ストリングを接続したままでゴルフボールをティーアップする構成とした形態が挙げられる。
【００１６】
この実施形態によれば、ゴルフボールの付勢で弾性ストリングが伸びて長くなる吊設用ストリングを引き連れるように、ゴルフボールがネットケージ本体の奥へ飛んでいってケージ奥面に当たって勢いを失うのに続いて、ゴルフボールの失勢で弾性ストリングが反対に縮んで短くなる吊設用ストリングに連れ戻され、ゴルフボールがケージ前面に戻ってくる。したがって、練習者は打ち込んだゴルフボールを、その都度、ケージの奥まで拾いに行かずにすむ。
【００１７】
更に、本発明の他の好ましい実施形態として、ティーアップ用マットの上または近傍に立設されるティーアップ用スタンドを備えると共に、前記吊設用ストリングをゴルフボール寄りの位置でティーアップ用スタンドにワンタッチで係留すると共に、前記吊設用ストリングの係留がゴルフボールを打撃した時の衝撃で解除されるストリング係留機構が前記吊設用ストリングとティーアップ用スタンドの間に配備されているのに加え、前記吊設用ストリングの捩れ戻し機構が吊設用ストリングにおけるストリング係留機構とゴルフボールの間に配備されている形態が挙げられる。
【００１８】
この実施形態によれば、ティーアップ用マットの上または近傍に立設したティーアップ用スタンドにストリング係留機構で吊設用ストリングを一時的に係留した状態で、ゴルフボールをティーアップすることができるので、ティーアップしたゴルフボールを安定させ易くなるうえ、吊設用ストリングの係留もワンタッチで行えるので簡単である。加えて、吊設用ストリングの捩れ戻し機構により、吊設用ストリングにおけるストリング係留機構とゴルフボールの間の捩れが回避され、吊設用ストリングの捩れによってゴルフボールのティーアップが妨げられる心配もない。
【００１９】
【発明の実施の形態】
本発明の実施の形態を、図面を参照して詳細に説明する。図１は、本実施形態に係るゴルフ練習用ネットケージ（以下、「練習用ネットケージ」と略記する場合がある）を示す斜視図、図２は実施形態の練習用ネットケージの平面図である。
【００２０】
この練習用ネットケージは、ケージ前面２が開放されている一方、左右２つのケージ横面３，４およびケージ天井面５とケージ奥面６にネットＮＥが張設されたネットケージ本体１を備えている。このネットケージ本体１が庭や屋上などの屋外あるいはガレージなどの屋内といった練習場に据えつけられ、ゴルフの打撃練習時は、図１に示すように、練習者Ｐがケージ前面２近傍における一方のケージ横面３に近い位置に立って、ウッドクラブやアイアンクラブ等のゴルフクラブＣＬで、ケージ前面２近傍における他方のケージ横面４に近い位置にティーアップしたゴルフボールＧＢを、ケージ奥面６へ向けて打ち込む構成とされている。以下、この練習用ネットケージの各部構成を具体的に説明する。
【００２１】
ネットケージ本体１は、独立して自立可能な４本の網張り用ポール（ネット張設用支柱）７〜１０と、可撓性を有する前方開放形状の強力ネットＮＥを主材として備えている。網張り用ポール７は２段継ぎタイプの金属パイプ製でポール長さが調節可能であり、他の３本の網張り用ポール８〜１０は単一段タイプの金属パイプ製でポール長さは調節不能である。これら網張り用ポール７〜１０は、樹脂製などの非金属パイプであってもよいし、非パイプの中実なポールであってもよい。強力ネットＮＥは、特定繊維製の網に限られるものではないが、例えば高強力ポリエチレン繊維製で可撓性を有する網が適当なものとして挙げられる。なお、図１の場合、網張り用ポール７〜１０については強力ネットＮＥを透視した状態で示してある。
【００２２】
ネットケージ本体１は、４本の網張り用ポール７〜１０が強力ネットＮＥの寸法に見合った間隔で四方に立てられていると共に、網張り用ポール７〜１０の上に強力ネットＮＥが張り掛けられている略直方体の形状のケージである。なお、ネットケージ本体１の場合、さらに４本の網張り用ポール７〜１０間に梁を掛け渡して、骨組みがより頑丈となるようにしてもよい。可撓性強力ネットＮＥも、全体が完全に１つ網構成である必要はなく、ケージ各面毎に個別に張られている分割網構成であってもよい。
【００２３】
ネットケージ本体１のケージ横面４は、ケージ横面３より少し手前に長く張り出していて、打ち損なったゴルフボールがケージの外へ飛び出してゆくのを防止する構成としてあるのに加え、ネットケージ本体１のケージ前面２両裾のそれぞれに、裾状ネットＮａ，Ｎｂが張り出すように延設されていて、ゴルフボールが横にこぼれ出て行かない構成ともしている。
【００２４】
そして、本実施形態のゴルフ練習用ネットケージは、ネットケージ本体１を練習者Ｐが直ぐ手前に立つケージ横面（一方の横面）３の側のケージ前面２寄り端部１Ａのケージ高さが、他所より高くなる構成としたことが構成上の顕著な特徴となっている。加えて、この練習用ネットケージの場合、ケージ横面３の側のケージ前面２寄り端部１Ａのケージ高さを網張り用ポール７の長さを変えることにより、調節できる構成としている。
【００２５】
網張り用ポール７は、１段目の上側パイプ７Ａと２段目の下側パイプ７Ｂからなる２段継ぎタイプで長手方向に伸縮自在の構成とされている。すなわち、上側パイプ７Ａが下側パイプ７Ｂの先端から出入り可能に内挿されていると共に、下側パイプ７Ｂの先端に固定用リング７Ｃが外挿されていて、下側パイプ７Ｂの先端が縮径する向きに固定用リング７Ｃを回す（締める）と下側パイプ７Ｂの先端で上側パイプ７Ａが押さえ付けられて、上側パイプ７Ａは出入りできない状態になる一方、逆に下側パイプ７Ｂの先端が拡径する向きに固定用リング７Ｃを回す（緩める）と、下側パイプ７Ｂの先端による上側パイプ７Ａの押さえ付けが解除されて、上側パイプ７Ａは出入りできる状態になる。もとより、網張り用ポール７の継ぎ段数は２段に限らず、３段以上としてもよい。
【００２６】
ネットケージ本体１の各部の寸法例としては、例えば、伸縮自在の網張り用ポール７：１５０ｃｍ〜２１０ｃｍ前後、網張り用ポール８：１４０ｃｍ前後、網張り用ポール９：１５０ｃｍ前後、網張り用ポール１０：１５０ｃｍ前後、奥行き３００ｃｍ前後、ケージ前面２の幅１７０ｃｍ、ケージ奥面６の幅４０ｃｍ前後が挙げられる。
【００２７】
このように、網張り用ポール７の場合、締められている固定用リング７Ｃを緩めておき、上側パイプ７Ａの出入り量を適当な長さに合わせて調整してから、再び固定用リング７Ｃを締めるだけで、簡単にポール長さが変更できる。したがって、本実施形態の練習用ネットケージでは、図３に一点鎖線で示すように、網張り用ポール７のポール長さを伸ばすことにより、ケージ横面３の側のケージ前面２寄り端部１Ａのケージ高さを高くしたり、或いは逆に、図３に二点鎖線で示すように、網張り用ポール７のポール長さを縮めることにより、ケージ横面３の側のケージ前面２寄り端部１Ａのケージ高さを低くすることができる。なお、強力ネットＮＥは可撓性があるので、特別なことをしなくても、網張り用ポール７のポール長さの変更に追随して伸び縮みし、自然と適当な張設状態となる。また、図３の場合も、網張り用ポール７〜１０については強力ネットＮＥを透視した状態で示してある。
【００２８】
本実施形態の練習用ネットケージは、図１に示すように、練習者Ｐが上に立つ打席用マット１１と、ゴルフボールＧＢがティーアップされるティーアップ用マット１２とを備えている。両マット１１，１２は共に長方形に整形されており、打席用マット１１を用いることにより、練習者Ｐの立つ位置が分かり易くなるうえに足が滑り難くなり、しかもティーアップ用マット１２を用いることにより、ゴルフボールＧＢをティーアップし易くなる。
【００２９】
さらに、本実施形態の練習用ネットケージの場合、打席用マット１１とティーアップ用マット１２がケージ前面２近傍に位置ずれしないように留め置かれるのに加えて、両マット１１，１２間の距離ＬＡを調節することができる構成とされている。すなわち、図４に示すように、打席用マット１１およびティーアップ用マット１２は、いずれもマット短辺の端縁に両端開放タイプの円筒体１１Ａ，１２Ａがマット短辺に平行となる向きに接続付設されていて、両マット１１，１２の円筒体１１Ａ，１２Ａ中に両マット１１，１２の幅を合わせたより長い１本の連設ロッド１３を貫通させ、両マット１１，１２を並置する構成としている。円筒体１１Ａ，１２Ａの内径は連設ロッド１３の外径より若干大きくて、両マット１１，１２は、それぞれ独立で、図４に一点鎖線で示すように横方向にスライドすることができると共に、二点鎖線で示すように、連設ロッド１３を支軸として回転させることにより傾けることができる。また、打席用マット１１はシート状のマット本体１１Ｂを木製などの剛性基板１１Ｃの上に貼り付けた積層構造であり、ティーアップ用マット１２もシート状のマット本体１２Ｂを木製などの剛性基板１２Ｃの上に貼り付けた積層構造であることが好ましい。
【００３０】
両マット１１，１２をセットする際は、各マット１１，１２を連設ロッド１３に沿って好適な位置にスライドさせて両マット１１，１２の距離ＬＡを適当に調節してから、打席用マット１１が練習者Ｐの立つ側となり、ティーアップ用マット１２がゴルフボールＧＢをティーアップする側となるように、ネットケージ本体１におけるケージ前面２の手前に据え置く。
【００３１】
このように打席用マット１１とティーアップ用マット１２が連設ロッド１３に連らね通されて置かれていて、両マット１１，１２が位置ずれしないので、両マット１１，１２は常に適切な位置にある。また、打席用マット１１とティーアップ用マット１２の間隔ＬＡが調節できるので、容易に両マット１１，１２の距離を、背丈や腕の長さ等と言った練習者の体格や、ウッドクラブやアイアンクラブと言ったゴルフクラブの種類あるいはフルショットやハーフショットと言ったショットの種類などに見合った適切な距離とすることができる。
【００３２】
さらに、本実施形態の練習用ネットケージは、図１に示すように、略全長にわたって弾性ストリングで構成されている吊設用ストリング１４により、ゴルフボールＧＢがケージ天井面５に繋ぎ止められていて、吊設用ストリング４を接続したままで、ゴルフボールＧＢをティーアップする構成としている。ゴルフボールＧＢの打撃の際は、ゴルフボールＧＢの付勢で弾性ストリングが伸びて長くなる吊設用ストリング１４を引き連れるかたちで、ゴルフボールＧＢがネットケージ本体１の奥へ飛翔し、ケージ奥面６に当たって勢いを失うのに続いて、ゴルフボールＧＢの失勢で弾性ストリングが反対に縮んで短くなる吊設用ストリング１４に連れ戻されるかたちで、ゴルフボールＧＢがケージ前面２に帰ってくる。したがって、練習者Ｐは打ち込んだゴルフボールＧＢをわざわざケージの奥まで拾いに行かずにすむ。
【００３３】
加えて、本実施形態の練習用ネットケージは、図１に示すように、ティーアップ用マット１２の上または近傍に立設されるティーアップ用スタンド１５を備えると共に、吊設用ストリング１４をゴルフボールＧＢ寄りの位置でティーアップ用スタンド１５にワンタッチで係留すると共に、吊設用ストリング１４の係留がゴルフボールＧＢを打った時の衝撃で解除されるストリング係留機構１６が、吊設用ストリング１４とティーアップ用スタンド１５の間に配備されている。さらに、吊設用ストリング１４の捩れ戻し機構１７が、吊設用ストリング１４におけるストリング係留機構１６とゴルフボールＧＢの間に配備されている。
【００３４】
すなわち、図５（ａ）に示すように、吊設用ストリング１４の側ではゴルフボールＧＢ寄りの位置に面ファスナー片１６Ａが取着されていて、図５（ｂ）に示すように、ティーアップ用スタンド１５の側では頂部に面ファスナー片１６Ｂが固定されており、図６に示すように、面ファスナー片１６Ａを面ファスナー片１６Ｂに貼り付けるだけで、吊設用ストリング１４をティーアップ用スタンド１５にワンタッチで係留できると共に、ゴルフボールＧＢが打たれた時の衝撃により、面ファスナー片１６Ａが面ファスナー片１６Ｂから簡単に外れて、吊設用ストリング１４の係留が解除される。つまり、面ファスナー片１６Ａと面ファスナー片１６Ｂとでストリング係留機構１６が構成されている。
【００３５】
吊設用ストリング１４は、一端がケージ天井面５に固着されている弾性ストリング（例えばゴム紐）１４Ａの他端に、先端にゴルフボールＧＢが固着されているボール結合ストリング１４Ｂの基端が繋ぎ合わされて構成されており、弾性ストリング１４Ａの他端の所に面ファスナー片１６Ａが取り付けられている一方、ボール結合ストリング１４Ｂの中間の所に捩れ戻し機構１７が装着されている。ボール結合ストリング１４Ｂは、図５（ａ）に示すように、第１，第２ストリング１４Ｂ１，１４Ｂ２を捩れ戻し機構１７を介して接続されており、捩れ戻し機構１７は、２個の円環部１７ａ，１７ｂと両円環部１７ａ，１７ｂの間にあって、両円環部１７ａ，１７ｂの一端から延設されている突起（図示省略）と遊嵌されている中間ピース１７ｃとからなる通常構造のものである。第１，第２ストリング１４Ｂ１，１４Ｂ２は、両方共がゴム紐などの弾性ストリングという構成でもよいし、或いは、どちらか一方だけが弾性ストリングで他方は非弾性ストリング（普通の紐）という構成でもよいし、さらには、両方共が非弾性ストリングという構成でもよい。
【００３６】
なお、打席用マット１１の寸法例としては、長さ：約７０ｃｍ、幅：約４０ｃｍが挙げられ、ティーアップ用マット１２の寸法例としては、長さ：約７０ｃｍ、幅：約３０ｃｍが一例として挙げられる。また、連設ロッド１３の長さとしては、約１３０ｃｍが一例として挙げられ、ティーアップ用スタンド１５の高さとしては、約１００ｃｍが一例として挙げられる。
【００３７】
このように、ティーアップ用マット１２の上または近傍に立設したティーアップ用スタンド１５に、ストリング係留機構１６で吊設用ストリング１４を係留した状態で、ゴルフボールＧＢをティーアップできるので、ティーアップしたゴルフボールＧＢを安定させ易く、また吊設用ストリング１４の係留もワンタッチで行えて便利である。例えば、ゴルフボールＧＢが前下がりの傾斜面（打ち下ろし）にあるという想定に基づいて練習する場合、図７に示すように、ティーアップ用マット１２の後端を角材１８で持ち上げ、ティーアップ用マット１２を前下がりに傾斜させてティーアップしても、ゴルフボールＧＢは吊設用ストリング１４で引き止められている為にティーアップ用マット１２から転がり落ちるようなことはない。
【００３８】
逆に、ゴルフボールＧＢが前上がりの傾斜面（打ち上げ）にあるという想定に基づいて練習する場合、図８に示すように、打席用マット１１とティーアップ用マット１２の位置が図７と逆になるように、両マット１１，１２を連設ロッド１３に通し直すと共に、連設ロッド１３が後寄りになるように置いてから、ティーアップ用マット１２の前端を角材１８で持ち上げ、ティーアップ用マット１２を前上がりに傾斜させてティーアップしても、やはりゴルフボールＧＢは吊設用ストリング１４で引き止められているので、ティーアップ用マット１２から転がり落ちるようなことはない。
【００３９】
加えて、この実施形態によれば、吊設用ストリング１４の捩れ戻し機構１７により、ボール結合ストリング１４Ｂの捩れが回避されるので、吊設用ストリング１４の捩れでゴルフボールＧＢのティーアップが妨げられる心配もない。
【００４０】
続いて、上述の構成を有する本実施形態の練習用ネットケージを使用して打撃練習を行う時の状況を説明する。
【００４１】
手順（１）  練習者Ｐは、先ずティーアップ用マット１２の上にゴルフボールＧＢをティーアップする。
【００４２】
手順（２）  練習者Ｐが、ゴルフクラブＣＬを手にして打席用マット１１に立ってゴルフクラブＣＬを構える。
【００４３】
手順（３）  練習者Ｐが、ゴルフクラブＣＬでゴルフボールＧＢをネットケージ本体１の奥へゴルフボールＧＢが的プレート１９に当たるように打ち込む。
【００４４】
手順（４）  ゴルフボールＧＢは、ネットケージ本体１のケージ奥面６に当たってから吊設用ストリング１４で引き戻されて、ネットケージ本体１のケージ前面２へ帰ってくる。
【００４５】
手順（５）  練習者Ｐは、ゴルフボールＧＢを拾い上げて、練習を続けるならば、再び手順（１）  以下を繰り返す。練習を続けないのであれば、後片付けを行って練習を終える。
【００４６】
以上に述べた本実施形態の練習用ネットケージによれば、ネットケージ本体１を練習者Ｐが傍に立つケージ横面３の側のケージ前面２寄り端部１Ａのケージ高さが他所より高くなる構成としたので、ネットケージ本体１の内側の見通しを実質的に損なわずに、それ以外の所を低くしてネットケージ本体１を小さくすることができる結果、ネットケージ本体１の据えつけスペースの確保が容易となることから、練習場が狭くても使い易く、加えて、高力ネットＮＥの張設面積が減ることから、価格を下げることができる。
【００４７】
〔別実施の形態〕
（１）上記実施形態の場合、打席用マット１１とティーアップ用マット１２を連設ロッド１３によって並置する構成としたが、打席用マット１１とティーアップ用マット１２は、それぞれ全く別々に単に置かれるだけの構成としてもよい。
【００４８】
（２）上記実施形態の場合、ゴルフボールＧＢを吊設用ストリング１４でネットケージ本体１に吊設する構成としたが、ゴルフボールＧＢは吊設用ストリング１４に接続せずに全くのフリーの状態でティーアップする構成としてもよい。
【００４９】
（３）本発明の練習用ネットケージの場合、打席用マット１１およびティーアップ用マット１２に吊設用ストリング１４などの付属品を一切用いず、ネットケージ本体１のみを備えるだけの形態でもよい。
【図面の簡単な説明】
【図１】本発明の一実施形態に係る練習用ネットケージを示す斜視図
【図２】図１の練習用ネットケージの平面図
【図３】図１のネットケージ本体における網張り用ポールの伸縮に伴うケージ高さの変化を示す斜視図
【図４】練習用ネットケージの打席用マットとティーアップ用マットを示す斜視図
【図５】（ａ）は本実施形態のボール結合ストリングを示す正面図、（ｂ）は本実施形態のティーアップ用スタンドを示す正面図
【図６】本実施形態におけるボール結合ストリングの係留状態を示す正面図
【図７】本実施形態におけるゴルフボールのティーアップ例を示す正面図
【図８】本実施形態における他のゴルフボールのティーアップ例を示す正面図
【図９】従来の練習用ネットケージを示す概略斜視図
【符号の説明】
１            ネットケージ本体
１Ａ          （一方のケージ横面側の）ケージ前面寄り端部
２            ケージ前面
３            ケージ横面（一方のケージ横面）
４            ケージ横面（他方のケージ横面）
５            ケージ天井面
６            ケージ奥面
７            網張り用ポール
１１            打席用マット
１２            ティーアップ用マット
１４            吊設用ストリング
１４Ａ          弾性ストリング
１５            ティーアップ用スタンド
１６            ストリング係留機構
１７            捩れ戻し機構
ＧＢ            ゴルフボール
ＬＡ            （マット間の）距離
ＮＥ            強力ネット
Ｐ              練習者
【図１】
2004187833.tif 000003
【図２】
2004187833.tif 000004
【図３】
2004187833.tif 000005
【図４】
2004187833.tif 000006
【図５】
2004187833.tif 000007
【図６】
2004187833.tif 000008
【図７】
2004187833.tif 000009
【図８】
2004187833.tif 000010
【図９】
2004187833.tif 000011